(57)【要約】【課題】折板屋根上の緑化構造体に供給するための水を、折板屋根の上に貯水する緑化システムを提供する。【解決手段】本発明の緑化システム２０は、折板屋根Ｒの上に、緑化構造体２１と一又は複数の太陽光発電パネル３３を有する太陽光発電パネル群３１が設置されている。そして、折板屋根Ｒと太陽光発電パネル群３１との間には、貯水槽４１の少なくとも一部が屋根谷部７に挿入された状態で貯水槽４１が設置されている。そして、貯水槽４１に貯水された水を緑化構造体２１に供給する水供給手段５１が設けられている。【選択図】図３
2010193799.tif 000002
【特許請求の範囲】
【請求項１】
複数の山部が互いに所定間隔をおいて形成され該各山部の間に屋根谷部が形成された折板屋根の上に設置される一又は複数の緑化システムにおいて、
前記折板屋根の上に設置された緑化構造体と、
前記折板屋根の上に設置され、一または複数の太陽光発電パネルを有する太陽光発電パネル群と、
前記折板屋根と前記太陽光発電パネル群との間に、前記屋根谷部に少なくとも一部が挿入されて設置された貯水槽と、
該貯水槽に貯水された水を前記緑化構造体に供給する水供給手段と、を有することを特徴とする緑化システム。
【請求項２】
前記水供給手段は、前記緑化構造体に灌水する灌水パイプと、該灌水パイプと前記貯水槽との間を連通する連通路と、該連通路を通過させて前記貯水槽の水を灌水パイプに圧送するポンプを有し、前記折板屋根の上に設置されていることを特徴とする請求項１に記載の緑化システム。
【請求項３】
前記ポンプは、前記太陽光発電パネル群で発電した電気を利用して駆動されることを特徴とする請求項２に記載の緑化システム。
【請求項４】
前記貯水槽は、前記屋根勾配方向に沿って延在し、前記屋根谷部に下部が挿入され、上部が開放された形状を有することを特徴とする請求項２または３に記載の緑化システム。
【請求項５】
前記貯水槽は、該貯水槽の内部を屋根勾配方向上側と屋根勾配方向下側に仕切る仕切壁部を有し、
前記連通路は、前記仕切壁部によって前記貯水槽内部に形成された各貯水室にそれぞれ連通して接続されていることを特徴とする請求項２から請求項４のいずれか一項に記載の緑化システム。
【請求項６】
前記太陽光発電パネル群は、屋根勾配方向上側に配置される太陽光発電パネルと屋根勾配方向下側に配置される太陽光発電パネルとの間に間隙部を形成するように設置されていることを特徴とする請求項１から請求項５のいずれか一項に記載の緑化システム。
【請求項７】
前記折板屋根の屋根勾配上側に前記太陽光発電パネル群が設置され、前記折板屋根の屋根勾配下側に前記緑化構造体が配置されていることを特徴とする請求項１から請求項６のいずれか一項に記載の緑化システム。
【発明の詳細な説明】
【技術分野】
【０００１】
本発明は、折板屋根の上に緑化構造体と太陽光発電パネル群が設置され、水供給手段により緑化構造体に水を供給する緑化システムに関する。
【背景技術】
【０００２】
例えば特許文献１には、太陽光発電機構や風力発電機構で発電した電気を用いて、建物の下にある貯水タンクから水を汲み上げ、その水を屋根上の植栽に供給する技術が示されている。
【０００３】
そして、特許文献２には、屋根の頂部に太陽電池パネルが設置され、その太陽電池パネルの下側に上部貯水槽が配置されており、その上部貯水槽に建物床下の下部貯水槽から汲み上げた水を貯留して、上部貯水槽から屋根上の植栽に毛細管現象により水を供給する技術が示されている。
【先行技術文献】
【特許文献】
【０００４】
【特許文献１】特開２００３−２１００４０号公報
【特許文献２】特開平１１−２９３７１７号公報
【発明の概要】
【発明が解決しようとする課題】
【０００５】
しかしながら、特許文献１に記載された技術の場合、貯水タンクが建物の下に設置されている。従って、屋根上の植物に水を供給するためには、屋根下から屋根上まで水を汲み上げなければならず、吸引力が大きなポンプが必要となり、消費電力の増大及び設備費用の高騰を招来する。
【０００６】
また、特許文献２に記載された技術の場合、上部貯水槽が設けられる場所は、屋根の頂部１箇所のみである。従って、貯水量を十分に確保することは困難である。また、例えば大規模な工場の屋根のように、屋根の面積が広大な場合には、植栽の端部まで毛細管現象によって水を供給することができない。そして、頂部のみに太陽光発電パネルを設置していることから、電力量を十分に確保することも困難である。
【０００７】
本発明は、上記の点に鑑みてなされたものであり、その目的とするところは、折板屋根上の緑化構造体に必要十分な量の水を折板屋根の上に貯水できる緑化システムを提供することを課題とする。
【課題を解決するための手段】
【０００８】
上記課題を解決する本発明の緑化システムは、複数の山部が互いに所定間隔をおいて形成されて各山部の間に屋根谷部が形成された折板屋根の上に設置される一又は複数の緑化システムにおいて、折板屋根の上に設置された緑化構造体と、折板屋根の上に設置され、一または複数の太陽光発電パネルを有する太陽光発電パネル群と、折板屋根と太陽光発電パネル群との間に、屋根谷部に少なくとも一部が挿入されて設置された貯水槽と、貯水槽に貯水された水を緑化構造体に供給する水供給手段とを有することを特徴としている（請求項１）。
【０００９】
本発明によれば、折板屋根の上には緑化構造体と太陽光発電パネル群が設置されており、折板屋根と太陽光発電パネル群との間には、屋根谷部に貯水槽の少なくとも一部が挿入された状態で貯水槽が設置されているので、太陽光発電パネル群と屋根谷部との間に形成される空間を利用して、貯水槽の容積を大きく確保することができる。特に、折板屋根は複数の屋根谷部を有していることから、太陽光発電パネル群と屋根谷部との間に形成される空間も大きく、かかる空間に貯水槽を配置することによって、貯水槽として飛躍的に大きな容積を確保することができる。
【００１０】
従って、緑化構造体に供給するのに十分な量の水を屋根上に貯水することができ、従来のように建物下部の貯水槽から屋根上まで汲み上げる必要がなく、吸引力が強力なポンプを不要とし、消費電力の低減および設備費用の低価格化を実現できる。
【００１１】
また、十分な量の水を屋根上に沿って貯水できるので、屋根上で広い面積に亘って水を供給することができ、屋根上に設置された緑化構造体の隅々まで十分に水を供給することができる。
【００１２】
また、本発明の緑化システムでは、水供給手段は、緑化構造体に灌水する灌水パイプと、灌水パイプと貯水槽との間を連通する連通路と、連通路を通過させて貯水槽の水を灌水パイプに圧送するポンプを有し、折板屋根の上に設置されていることを特徴としている（請求項２）。本発明の緑化システムによれば、ポンプの駆動により、貯水槽の水を灌水パイプに圧送して、灌水パイプから緑化構造体に灌水することができる。
【００１３】
本発明の緑化システムによれば、ポンプは、太陽光発電パネル群で発電した電気を利用して駆動されることが好ましい（請求項３）。太陽光発電パネル群で発電した電気を利用してポンプを駆動することにより、ポンプの駆動電源を他の電源装置から供給する必要がなく、省エネルギ化を図ることができる。
【００１４】
本発明の緑化システムによれば、貯水槽は、屋根勾配方向に沿って延在し、屋根谷部に下部が挿入され、上部が開放された形状を有する構成としてもよい（請求項４）。かかる構成によれば、貯水槽の上部が開放されているので、屋根上に降り注ぐ雨水を貯水槽に貯水することができ、貯水槽に水を補給する作業を省略できる。
【００１５】
本発明の緑化システムによれば、貯水槽は、貯水槽の内部を屋根勾配方向上側と屋根勾配方向下側に仕切る仕切壁部を有し、連通路は、仕切壁部によって貯水槽内部に形成された各貯水室にそれぞれ連通して接続されている構成とすることが好ましい（請求項５）。
【００１６】
かかる構成によれば、仕切壁部によって貯水槽の内部を屋根勾配方向上側と屋根勾配方向下側に仕切り、貯水槽の内部に複数の貯水室を形成するので、各貯水室で独立して貯水させることができる。従って、仕切壁部がない場合と比較して、より多くの水を貯水することができる。
【００１７】
本発明の緑化システムによれば、太陽光発電パネル群は、屋根勾配方向上側に配置される太陽光発電パネルと屋根勾配方向下側に配置される太陽光発電パネルとの間に間隙部を形成するように設置されている構成としてもよい（請求項６）。
【００１８】
かかる構成によれば、太陽光発電パネルの上面に降り注いだ雨水を、太陽光発電パネルの上面に沿って屋根勾配方向上側から下側に流下させ、屋根勾配方向上側の太陽光発電パネルと屋根勾配方向下側の太陽光発電パネルとの間の間隙部から太陽光発電パネルの下方に移動させることができる。従って、積極的に雨水を集めて貯水槽に貯水させることができ、貯水槽に水を補給する作業を省略できる。
【００１９】
本発明の緑化システムは、折板屋根の屋根勾配上側に太陽光発電パネル群が設置され、折板屋根の屋根勾配下側に緑化構造体が配置されていることが好ましい（請求項７）。かかる構成によれば、太陽光発電パネル群と折板屋根との間に設けられる貯水タンクを、緑化構造体よりも屋根勾配方向上側に配置することができる。従って、貯水タンク内の水を緑化構造体まで小さな圧送力で圧送することができ、例えば水供給手段のポンプを圧送力が小さなものにすることができ、消費電力の低減および設備費用の低下価格化を実現できる。
【発明の効果】
【００２０】
本発明によれば、折板屋根の上には緑化構造体と太陽光発電パネル群が設置されており、折板屋根と太陽光発電パネル群との間には、屋根谷部に貯水槽の少なくとも一部が挿入された状態で貯水槽が設置されているので、太陽光発電パネル群と屋根谷部との間に形成される空間も大きく、かかる空間に貯水槽を配置することによって、貯水槽として飛躍的に大きな容積を確保することができる。
【００２１】
従って、緑化構造体に供給するのに十分な量の水を屋根上に貯水することができ、従来のように建物下部の貯水槽から屋根上まで汲み上げる必要がなく、吸引力が強力なポンプを不要とし、消費電力の低減および設備費用の低価格化を実現できる。
【００２２】
また、十分な量の水を屋根上に沿って平面状に貯水できるので、屋根上で広い面積に亘って水を供給することができ、屋根上に設置された緑化構造体の隅々まで十分に水を供給することができる。
【図面の簡単な説明】
【００２３】
【図１】立ちはぜ折板屋根の一例を示す斜視図（図１ａ）とそこで使用する屋根板を示す断面図（図１ｂ）。
【図２】クランプの構造を説明する斜視図。
【図３】本実施の形態に係わる緑化システムの全体的な概要を示す断面図。
【図４】折板屋根に緑化システムを設置した状態を示す平面図。
【図５】図４のIV部を拡大して示す図。
【図６】図５のＶ−Ｖ線矢視図。
【図７】図６のVI部を拡大して一部を断面で示す図。
【図８】貯水槽の構成を示す斜視図。
【図９】本実施の形態に係わる緑化システムの他の実施例を示す図。
【図１０】本実施の形態に係わる緑化システムの他の実施例を示す図。
【発明を実施するための形態】
【００２４】
以下、図面を参照しながら、本発明を実施の形態に基づき説明する。本実施の形態における緑化システム２０は、折板屋根Ｒの上に敷設される。最初に、折板屋根Ｒの構造について説明する。
【００２５】
図１は、折板屋根Ｒの一例を示すものであり、図１（ａ）は、折板屋根Ｒの構成を一部破断により示す斜視図、図１（ｂ）は、折板屋根Ｒを構成する屋根板３の断面図である。図２は、クランプ１０の基本形態を示す図である。
【００２６】
折板屋根Ｒは、いわゆる立ちはぜ折板屋根であり、左右の立ち上がり縁の上端部に互いに係合する湾曲部３ａ，３ｂを形成した長尺状の屋根板３を（図１（ｂ）を参照）、隣接する屋根板１３の湾曲部同士を係合（はぜ継ぎ）しながら、梁５の上に専用の取り付け具６を利用して固定するようにしており、屋根勾配方向であるＸ方向に走る山部１が屋根横幅方向であるＹ方向に所定ピッチＰａで連続している。そして、各山部１の間には、屋根谷部７が形成されている。また、各山部１の頂部２には屋根板３を連接したときの丸みを持つ立ちはぜ突条４が屋根勾配方向に走っている。
【００２７】
図２は、クランプ１０の基本形態を示す。クランプ１０は、立ちはぜ折板屋根Ｒの上に緑化構造体２１や太陽光発電パネル群３１を固定するためのものであり、一定の横幅を持つ左右一対のクランプ片１１，１１で構成される。
【００２８】
各クランプ片１１は、立ちはぜ突条４の下方領域を押さえ付ける挟持先端部１２ａとその上方の第１の水平部１２ｂとからなる膨出部１３と、前記挟持先端部１２ａの先端位置とほぼ同じ垂直位置において前記第１の水平部１２ｂから立ち上がる垂直部１４と、該垂直部１４の上端に位置する第２の水平部１５とを有し、垂直部１４には左右のクランプ片１１、１１を一体に締め付けるときに用いるボルトのためのボルト孔１６が形成されている。また、水平部１５にはボルト孔１７が形成されている。
【００２９】
なお、ボルトナットでなくドリルビス等を用いて左右のクランプ片１１、１１を一体に締め付けるようにしてもよく、その場合には、ボルト孔１７を省略することができる。また、左右のクランプ片１１、１１のボルト孔１６の一方を、ボルト孔に替えてより径の小さい小孔としてもよい。
【００３０】
膨出部１３の内面側の形状は、好ましくは立ちはぜ突条４の外郭形状に一致した形状であり、その大きさは、左右のクランプ片１１、１１を締め付けたときに立ちはぜ突条４をわずかに圧縮して変形させるように大きさとされる。しかし、膨出部１３の内面側の形状は、左右のクランプ片１１、１１を締め付けたときに、その内周面が部分的に突条４に接触するような形状、あるいはまったく接しない形状であっても差し支えない。
【００３１】
挟持先端部１２ａ，１２ａの先端は、図２に示すように、先端が外側に離反し、突条４に当たる面が曲面とされている。図示しないが、立ちはぜ突条４と該突条４を挟持するクランプ片１１，１１との間にパッキン材を介装してもよい。この構成とすることにより、立ちはぜ突条４とクランプ１０とが直接接触しないようになり、立ちはぜ突条４の防錆処理が剥がれた場合でも、防食電流の流れを効果的に防止することができ、立ちはぜ突条４の腐食による劣化を長期にわたって回避することができる。
【００３２】
クランプ１０の立ちはぜ突条４への固定に際しては、図２に示すように、左右のクランプ片１１，１１の膨出部１３の間に立ちはぜ突条４を挟み込んだ姿勢とし、双方の垂直部１４に形成したボルト孔１６にボルトを通してナットで締め付ける。一定の横幅を持つ挟持先端部１２の先端と膨出部１３の内面側とで突条４を両側から押さえ付けた状態で、クランプ１０は突条４に固定されるので、クランプ１０の固定状態はきわめて安定したものとなる。クランプ１０の水平部１５の上には、図示していないアタッチメントを介して緑化構造体２１が固定され、また、支持部３２を介して太陽光発電パネル群３１が固定される。
【００３３】
次に、緑化システム２０の構成について図３〜図９を用いて説明する。
緑化システム２０は、図４に示すように、例えば大規模な工場等の建物が有する広大な折板屋根Ｒの上に敷設されている。緑化システム２０は、折板屋根Ｒの上に沿って平面状に設置されており、図４に示す実施例では複数の緑化システム２０が設けられ、図９に示す他の実施例では、一の緑化システム２０が設けられている。
【００３４】
緑化システム２０は、緑化構造体２１と、太陽光発電パネル群３１から構成されている。緑化構造体２１は、図３または図４に示すように、折板屋根Ｒの上に複数枚の保水排水基盤材２２が敷き詰められてクランプ１０を介して固定され、これらの保水排水基盤材２２の上に芝草等の植物２３が植栽されることによって構成されている。
【００３５】
太陽光発電パネル群３１は、一または複数の太陽光発電パネル３３によって構成されている。太陽光発電パネル３３は、図３または図５に示すように、一定の厚さを有する平面視略矩形の平板形状を有しており、折板屋根Ｒの勾配に沿って平面を形成するように支持されている。尚、太陽光発電パネル３３については、既知のものを用いており、その詳細な構成については省略する。
【００３６】
緑化構造体２１と太陽光発電パネル群３１は、例えば図４に示す実施例では、それぞれ折板屋根Ｒの屋根横幅方向に帯状に延在するように敷設され、屋根勾配方向上側に太陽光発電パネル３３が位置し、屋根勾配方向下側に緑化構造体２１が位置するように、屋根勾配方向に交互に配置されている。
【００３７】
緑化構造体２１と太陽光発電パネル群３１は、好ましくは、屋根勾配方向上側に太陽光発電パネル３３が位置し、屋根勾配方向下側に緑化構造体２１が位置する構成とされるが、かかる構成のみに限定されるものではなく、屋根勾配方向に対して、いずれが上側でも下側でもよく、また、屋根勾配方向に同じ高さで互いに横並びに配置してもよい。
【００３８】
太陽光発電パネル群３１の各太陽光発電パネル３３は、図３および図５に示すように、互いに屋根勾配方向に所定間隔を空けて配置されている。したがって、太陽光発電パネル３３の上面に降り注いだ雨水を、太陽光発電パネル３３の上面に沿って屋根勾配方向上側から下側に流下させ、屋根勾配方向上側の太陽光発電パネル３３と屋根勾配方向下側の太陽光発電パネル３３との間の間隙部Ｄを通過させて、太陽光発電パネル３３の下方に移動させることができる（例えば図３の太矢印Ａを参照）。
【００３９】
上記構成を有する緑化システム２０は、雨水等の水を貯留する貯水槽４１と、貯水槽４１に貯水された水を緑化構造体２１に供給する水供給手段５１を有している。
【００４０】
貯水槽４１は、図３、図６、図７に示すように、太陽光発電パネル群３１と折板屋根Ｒとの間に配設されている。貯水槽４１は、図６および図７に示すように、屋根谷部７毎に個々に設けられており、クランプ１０によって折板屋根Ｒに固定されている。
【００４１】
貯水槽４１は、屋根勾配方向に沿って延在し、折板屋根Ｒの屋根谷部７に下部が挿入され、上部が開放された形状を有している。貯水槽４１の長手方向は、屋根勾配方向に並べて配置された複数の太陽光発電パネル３３の間に亘って延在する長さを有している。
【００４２】
貯水槽４１の具体的な構成としては、例えば図７に示すように、折板屋根Ｒの山部１に接面する左右一対の傾斜壁部４２、４２と、これら傾斜壁部４２、４２の下端間を閉塞する底壁部４３を有している。そして、貯水槽４１の上部は、上方に向かって開放されている。
【００４３】
そして、各傾斜壁部４２、４２の上部には、貯水槽４１の横幅方向外側に向かってそれぞれ突出する端縁部４５、４５が形成されている。これらの端縁部４５、４５が、貯水槽４１の横幅方向両側に位置するクランプ１０の第１の水平部１２ｂと第２の水平部１５との間に挿入されて、貯水槽４１を折板屋根Ｒに固定するようになっている。
【００４４】
貯水槽４１には、貯水槽４１の内部を長手方向一方側と他方側とに仕切り、複数の貯水室４７を形成するための仕切壁部４６が取り付けられている。仕切壁部４６は、貯水槽４１内に形成された図示していない凹溝に着脱可能に挿入されて取り付けられている。凹溝は、貯水槽４１の長手方向に所定間隔をおいて複数箇所に形成されている。仕切壁部４６の挿入する凹溝を変更することによって、仕切位置を長手方向に変更し、貯水室４７の大きさを任意に調整できる。
【００４５】
貯水槽４１は、貯水槽４１の内部を仕切壁部４６で仕切り、複数の貯水室４７を形成することによって、各貯水室４７で独立して貯水することができる。従って、仕切壁部４６がない場合と比較して、屋根勾配方向に傾斜して配置された状態でより多くの水を貯水することができる。また、屋根勾配方向上側の貯水室４７で溢れた水を、屋根勾配方向下側の貯水室４７に流入させることができ、各貯水室４７に貯水することができる（例えば図３の太矢印Ｂを参照）。
【００４６】
貯水槽４１は、上部が開放された形状を有しているので、折板屋根Ｒの上に降り注ぐ雨水を、貯水槽４１の上方から貯水槽４１の内部に流入させて貯水することができ、貯水槽４１に水を補給する作業を省略できる。尚、貯水槽４１には、水供給源から貯水槽４１に水を補給するための補給管（図示せず）が接続されている。
【００４７】
貯水槽４１は、屋根勾配方向に並べて配置された複数の太陽光発電パネル３３の間に亘って延在するように配置されている。したがって、太陽光発電パネル群３１の上面に降り注いだ雨水を、太陽光発電パネル３３の上面に沿って屋根勾配方向上側から下側に流下させ、屋根勾配方向上側の太陽光発電パネル３３と屋根勾配方向下側の太陽光発電パネル３３との間の間隙部Ｄから太陽光発電パネル３３の下方に移動させ（例えば図３の太矢印Ａを参照）、雨水を積極的に集めて貯水槽４１に貯水させることができる。
【００４８】
水供給手段５１は、図３に示すように、緑化構造体２１に灌水する灌水パイプ５２と、灌水パイプ５２と貯水槽４１との間を連通する連通路５３と、連通路５３を通過させて貯水槽４１の水を灌水パイプ５２に圧送するポンプ５４を有している。
【００４９】
灌水パイプ５２は、本実施の形態では、緑化構造体２１の上面に沿って勾配方向上側から下側に向かって延在するように配置されている。灌水パイプ５２は、既知のものが用いられており、灌水パイプ５２から水を漏出、あるいは、散水することによって、緑化構造体２１の全面に亘って灌水するようになっている。
【００５０】
連通路５３は、灌水パイプ５２の屋根勾配方向上側の端部に一端が連通して接続され、緑化構造体２１に対して屋根勾配方向上側に位置する貯水槽４１の底壁部４３に他端が連通して接続されている。連通路５３は、例えば図３および図７に示すように、各貯水室４７に連通するように複数に分岐して底壁部４３に接続されている。
【００５１】
ポンプ５４は、図３に示すように、連通路５３の途中位置に設けられている。ポンプ５４は、太陽光発電パネル群３１で発電した電気を利用して駆動されるようになっており、図示していないタイマー装置等によって、予め設定されたタイミングで駆動されて貯水槽４１内の水を灌水パイプ５２に圧送する。このように、太陽光発電パネル群３１で発電した電気を利用してポンプ５４を駆動することにより、ポンプ５４の駆動電源を他の電源装置から供給する必要がなく、省エネルギ化を図ることができる。
【００５２】
図３および図４に示す実施例では、折板屋根Ｒの屋根勾配上側に太陽光発電パネル群３１が配置され、折板屋根Ｒの屋根勾配下側に緑化構造体２１が配置されているので、太陽光発電パネル群３１と折板屋根Ｒの間に設けられる貯水タンク４１を、緑化構造体２１よりも屋根勾配方向上側に配置することができる。従って、貯水タンク４１内の水を緑化構造体２１まで小さな圧送力で圧送することができ、水供給手段５１のポンプ５４を圧送力が小さなものにすることができる。
【００５３】
特に、貯水槽４１と、貯水槽４１に対して屋根勾配方向下側に位置する緑化構造体２１の灌水パイプ５２との高低差が少ない場合には、屋根勾配方向上側の貯水槽４１から屋根勾配方向下側の灌水パイプ５２に水を圧送するポンプ５４の圧送力をより小さくすることができる。従って、より小型で簡易なポンプ５４を用いることができ、設備費を低減し、安価に提供することができる。また、僅かな消費電力で駆動させることができるので、緑化システム全体の省エネルギ化を図ることができる。
【００５４】
上記構成を有する緑化システム２０によれば、貯水槽４１が太陽光発電パネル群３１と折板屋根Ｒとの間に配置されて屋根谷部７に貯水槽４１の下部が挿入された構成を有しているので、太陽光発電パネル群３１と屋根谷部７との間に形成される空間を利用して、貯水槽４１の容積を大きく確保することができる。
【００５５】
特に、折板屋根Ｒは、複数の屋根谷部７を有しているので、太陽光発電パネル群３１と屋根谷部７との間に形成される空間も大きく、かかる空間に貯水槽４１を配置することによって、貯水槽４１として飛躍的に大きな容積を確保することができる。
【００５６】
従って、緑化構造体２１に供給するのに十分な量の水を折板屋根Ｒの上に貯水することができ、従来のように建物下部の貯水槽から屋根上まで汲み上げる必要がない。従って、吸引力が強力なポンプを不要とし、消費電力の低減および設備費用の低価格化を実現できる。
【００５７】
また、十分な量の水を折板屋根Ｒの上に沿って貯水できるので、折板屋根Ｒの上で広い面積に亘って水を供給することができ、折板屋根Ｒの上に設置された緑化構造体２１の隅々まで十分に水を供給することができる。
【００５８】
折板屋根の面積が小さい場合には、図９に示すように、一つの太陽光発電パネル３３と緑化構造体２１によって緑化システム２０を構成し、該緑化システム２０を折板屋根に設けてもよい。ここで、貯水槽４１ａは、その長手方向が太陽光発電パネル３３の屋根勾配方向よりも若干長い程度であればよい。この場合、貯水槽４１ａは、太陽光発電パネル３３の屋根勾配方向に対して上側または下側、乃至は両側で雨水が集められる。
【００５９】
尚、本発明は、上述の実施の形態に限定されるものではなく、本発明の趣旨を逸脱しない範囲で種々の変更が可能である。例えば、上述の実施の形態では、図４に示すように、緑化構造体２１と太陽光発電パネル群３１を屋根勾配方向に交互に配置した場合を例に説明したが、例えば、図１０に示すように、太陽光発電パネル群３１を屋根勾配方向上側に配置し、緑化構造体２１を屋根勾配方向下側に配置してもよい。
【００６０】
また、上述の実施の形態では、図３に示すように、折板屋根Ｒの上面に対する緑化構造体２１と太陽光発電パネル群３１の設置高さがほぼ同一の場合を例に説明したが、太陽光発電パネル群３１の設置高さを緑化構造体２１よりも高くしてもよい。これにより、緑化構造体２１の植物が成長した場合に、太陽光発電パネル群３１が植物によって覆われるのを防ぎ、植物の影による発電量の低下を予防できる。
【符号の説明】
【００６１】
１  山部
７  屋根谷部
１０  クランプ
２０  緑化システム
２１  緑化構造体
３１  太陽光発電パネル群
３２  支持部
３３  太陽光発電パネル
４１  貯水槽
４６  仕切壁部
４７  貯水室
５１  水供給手段
５２  灌水パイプ
５３  連通路
５４  ポンプ
Ｄ  間隙部
Ｒ  折板屋根
【図１】
2010193799.tif 000003
【図２】
2010193799.tif 000004
【図３】
2010193799.tif 000005
【図４】
2010193799.tif 000006
【図５】
2010193799.tif 000007
【図６】
2010193799.tif 000008
【図７】
2010193799.tif 000009
【図８】
2010193799.tif 000010
【図９】
2010193799.tif 000011
【図１０】
2010193799.tif 000012